(57)【要約】【課題】上面に開口部を有するビデオカメラは、雨水が侵入する。【解決手段】上面に開口部と他の面に設けられた把持部材取り付け部を有し、前記開口部から侵入した水が、把持部材取り付け部から排水される。【選択図】図３
2019139039.tif 000002
【特許請求の範囲】
【請求項１】
上面に開口部と他の面に設けられた把持部材取り付け部を有する撮像装置に於いて、前記開口部から侵入した水が、把持部材取り付け部から排水されることを特徴とする撮像装置。
【請求項２】
請求項１に記載の撮像装置に於いて、前記開口部から可動操作手段の操作部材を表出され、前記操作部材の下面側に設けられた水受け部を有し、前記水受け部の下端部に第１の排水口を有し、前記排水口の下部に上面を開口した水誘導部材を有し、前記水誘導部材の下端に設けられた第２の排水口から、前記把持部材取り付け部に水が誘導されることを特徴とする、撮像装置。
【請求項３】
請求項２に記載の撮像装置に於いて、前記水誘導部材は、本体の補強部材を兼ねていることを特徴とする撮像装置。
【請求項４】
請求項２に記載の撮像蔵置に於いて、前記水誘導部材に、内部配線係合部が設けられていることを特徴とする撮像装置。
【請求項５】
請求項２に記載の撮像装置に於いて、前記操作部材はズーム変倍操作を行う部材であることを特徴とする撮像装置。
【請求項６】
請求項１に記載の撮像装置に於いて、前記把持部材取り付け部はベルト通し穴を有した板金部材からなり、前記板金部材が前記水を排水側に導水する導水部材を兼ねていることを特徴とする撮像装置。
【発明の詳細な説明】
【技術分野】
【０００１】
本発明はビデオカメラの操作部材における雨水の排水構造に関するものである。
【背景技術】
【０００２】
業務用ビデオカメラやビデオカメラ用交換レンズのズーム変倍を支持する操作手段としていわゆるシーソー操作部材を用いたものが用いられている（特許文献１）。
【０００３】
シーソー操作部材はビデオカメラ本体の上面に開口部を有して配置されることが多く、特許文献１の実施形態でもそのような配置からくる課題として、雨水（特許文献１では水滴と表現）の侵入が挙げられている。特許文献１の実施形態では排水部材としてのドレインホースを使用し、ドライブユニットと鏡胴の隙間から排水を行っている。
【先行技術文献】
【特許文献】
【０００４】
【特許文献１】特開２０１６−６５９１１号公報
【発明の概要】
【発明が解決しようとする課題】
【０００５】
しかしながら、上記従来例ではドライブユニットと鏡胴が略別体で構成されているため、隙間からの排水が可能であった。鏡胴が本体部と一体的に構成された業務用ビデオカメラに於いてはこのような排水方法が採用できないという問題があった。また、上記従来例では排水のためにドレインホースを専用で設けているため、部材が１点多くなるという問題があった。
【課題を解決するための手段】
【０００６】
本発明の撮像装置は上面に開口部と他の面に設けられた把持部材取り付け部を有し、前記開口部から侵入した水が、把持部材取り付け部から排水されることを特徴としている。
【発明の効果】
【０００７】
本発明によれば、専用ドレインホースを用いずにシーソー操作部材から侵入した雨水を排水可能となる。
【図面の簡単な説明】
【０００８】
【図１】デジタルビデオカメラ１０１の外観図。
【図２】ズーム操作部１０９及びグリップ部１０６内部の構造図。
【図３】図２（ｂ）の状態にグリップカバー３０１を付加した状態の斜視図。
【図４】図３の状態に接続ケーブル４０１、前側グリップベルト通し環１０７およびその前側グリップベルト通し環固定ビス４０２、グリップ上面カバー４０３を付加した状態の斜視図。
【図５】デジタルビデオカメラ１０１の右側面図及び図中のＡ−Ａ線に沿った断面模式図。
【発明を実施するための形態】
【０００９】
＜第１の実施形態＞
図１に本実施例におけるデジタルビデオカメラ１０１の外観図を示す。
以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１０】
デジタルビデオカメラ１０１は使用用途によって全体を斜めにすることなどがあるが、本実施例における説明はもっとも使用頻度が高い姿勢である図１の標準的な姿勢（正位置）での説明となる。
【００１１】
本実施例におけるデジタルビデオカメラ１０１は一般的な業務用ビデオカメラと同様、レンズ部１０３に内蔵された撮像レンズからの情報を図示しない撮像素子に結像し、本体部１０４に備えられた記録部への撮像情報の記録や、表示部１０５への表示などを行う機器である。結像や記録、表示に関する説明は本発明の趣旨と関連性が低いため、説明は割愛する。
【００１２】
本体部１０４の左側面部にはグリップ部１０６が設けられ、デジタルビデオカメラ１０１の使用者が右手で把持するのも、一般的な業務用ビデオカメラと同様である。グリップ部１０６の前側には図示する金属板部材で形成された前側グリップベルト通し環１０７を有し、後ろ側には前側と同様に金属板部材で形成された後ろ側グリップベルト通し環１０８を有する。これらの通し環に図示しないグリップベルトを挿通し、デジタルビデオカメラ１０１の使用者が把持するのも、業務用ビデオカメラに一般的に用いられる方式である。
【００１３】
グリップ部１０６の上面にはズーム操作部１０９が備えられ、デジタルビデオカメラ１０１の使用者が右手の指で操作可能に配置されている。ズーム操作部１０９は一般的な業務用ビデオカメラに用いられるズーム操作の部材と同様で、前側または後ろ側を押下動作することによって、レンズ部１０３に内蔵された撮像レンズのズーム変倍操作や、いわゆるデジタルズームのような画像処理による撮像情報の拡大縮小が可能な操作手段である。
【００１４】
図２にズーム操作部１０９及びグリップ部１０６内部の構造を示す。図２（ａ）には左斜め上からの斜視図、（ｂ）は右斜め下からの斜視図をそれぞれ示す。ズーム操作部１０９は図中のシーソー操作部材２０１が回転軸２０２を中心に回動可能に配置され、シーソー操作部材２０１の前側および後ろ側を押下動作可能に構成されている。回転軸２０２は操作部固定枠２０３に固定され、ズーム操作部１０９全体としてはグリップ部１０６に操作部固定枠２０３を介して固定されている。
【００１５】
操作部固定枠２０３は図の通り前側に向かうと下に向かう傾斜を有して配置されている。その傾斜に沿った操作部固定枠２０３の前側下端部には排水口２０４が形成され、直下に配置された補強部材２０５の開口した上面部に隣接して配置されている。
【００１６】
補強部材２０５は上面を開口するとともに、下面が補強部材斜面部２０６となり、前方に向かって下側に傾斜している。全体的な水の流れは後述するが、前述の排水口２０４から補強部材２０５の後ろ側に入った水が補強部材斜面部２０６を伝って前方に流れる。また、補強部材２０５の前側端部には前側グリップベルト通し環１０７が配置され、図１に示した通り、外観に表出する。
【００１７】
図２（ｂ）に図示する補強部材２０５に設けられた右側面側の２か所の凸形状はケーブル引掛け部２０７であり、用途は後述する。また、補強部材２０５の下面前側端部には補強部材排水口２０８が設けられている。
【００１８】
図３は図２（ｂ）の状態にグリップカバー３０１を付加した状態の斜視図を示す。グリップカバー３０１はグリップ部１０６の下側を構成する外装部品で、デジタルビデオカメラ１０１の使用者が右手で握り込む部材である。そのため、補強部材２０５がグリップカバー３０１の補強を担うことで、握り込んだ際の剛性を確保している。また、補強部材２０５の補強部材排水口２０８は前側グリップベルト通し環固定ビス穴３０２の上部に配置される。補強部材排水口２０８から流れ出る水は前側グリップベルト通し環固定ビス穴３０２の前方に流れる構成となっている。
【００１９】
図４は図３の状態に接続ケーブル４０１、前側グリップベルト通し環１０７およびその前側グリップベルト通し環固定ビス４０２、グリップ上面カバー４０３を付加した状態の斜視図を示す。
【００２０】
接続ケーブル４０１はズーム操作部１０９の電気的な接続を行うケーブルで、補強部材２０５に設けられたケーブル引掛け部２０７の上面から挿入して引掛けることができる。
図３の補強部材排水口２０８の下部に流れ込む水が内部に流れないように前側グリップベルト通し環１０７が流路をふさぐ形となるのは図の通りである。また、グリップ上面カバー４０３はズーム操作部１０９の開口を有した外装部品で、開口と操作部固定枠２０３の位置関係は後述する。
【００２１】
図５（ａ）はデジタルビデオカメラ１０１の右側面図で、図中のＡ−Ａ線に沿った断面模式図を図５（ｂ）に示す。上部から説明を行うと、グリップ上面カバー４０３に設けられたグリップ上面カバー開口部５０１からシーソー操作部材２０１が表出するように操作部固定枠２０３がグリップ上面カバー４０３に図示しない締結手段で取り付けられている。補強部材排水口２０８はシーソー操作部材２０１の下側に位置し、シーソー操作部材２０１の内部に可変抵抗などからなるズーム基板５０２が配置されている。
【００２２】
グリップ上面カバー開口部５０１は上面が開口しているため、上から降り注ぐ雨水はシーソー操作部材２０１を伝う、ないしは直接操作部固定枠２０３に入る。この際、ズーム基板５０２は図のようにシーソー操作部材２０１の内側にあるため雨水には晒されない。操作部固定枠２０３に入った雨水は排水口２０４から補強部材斜面部２０６に入り、その後前述したとおり補強部材排水口２０８から前側グリップベルト通し環１０７に流れ、前側グリップベルト通し環１０７とグリップカバー３０１の隙間からデジタルビデオカメラ１０１の外部に排出される。
【００２３】
前側グリップベルト通し環１０７周辺の隙間から排水されることによって、デジタルビデオカメラ１０１に外観上の穴部を設けることなく、さらに前側グリップベルト通し環１０７に挿通された図示しないベルト部材に水が染み込むため、デジタルビデオカメラ１０１の使用者はその場所から排水されたことに気づきにくいという利点がある。
【符号の説明】
【００２４】
１０１  ・・・・  デジタルビデオカメラ
１０２  ・・・・  座標系ｘｙｚ
１０３  ・・・・  レンズ部
１０４  ・・・・  本体部
１０５  ・・・・  表示部
１０６  ・・・・  グリップ部
１０７  ・・・・  前側グリップベルト通し環
１０８  ・・・・  後ろ側グリップベルト通し環
１０９  ・・・・  ズーム操作部
２０１  ・・・・  シーソー操作部材
２０２  ・・・・  回転軸
２０３  ・・・・  操作部固定枠
２０４  ・・・・  排水口
２０５  ・・・・  補強部材
２０６  ・・・・  補強部材斜面部
２０７  ・・・・  ケーブル引掛け部
２０８  ・・・・  補強部材排水口
３０１  ・・・・  グリップカバー
３０２  ・・・・  前側グリップベルト通し環固定ビス穴
４０１  ・・・・  接続ケーブル
４０２  ・・・・  前側グリップベルト通し環固定ビス
４０３  ・・・・  グリップ上面カバー
５０１  ・・・・  グリップ上面カバー開口部
５０２  ・・・・  ズーム基板
【図１】
2019139039.tif 000003
【図２】
2019139039.tif 000004
【図３】
2019139039.tif 000005
【図４】
2019139039.tif 000006
【図５】
2019139039.tif 000007